(57)【要約】【課題】  従来の方法では、液晶表示装置のパネル構造を変更する必要があり、各種の液晶表示装置で汎用的に適応できないという問題があった。【解決手段】  フレーム単位で画像データを比較し（Ｓ２）、その比較結果に応じて表示用画像データの表示駆動電圧を変更し（Ｓ４）、表示用画像データの表示フレームレートを変倍する（Ｓ５）。この変倍されたフレームレートに従って、変更された表示駆動電圧の極性を変更した表示駆動信号を発生する（Ｓ６）。【選択図】  図１８
2006285092.tif 000002
【特許請求の範囲】
【請求項１】
フレーム単位で画像データを比較し、その比較結果に応じて表示用画像データの表示駆動電圧を変更する補正駆動手段と、
前記表示用画像データの表示フレームレートを変倍する変倍手段と、
前記変倍手段により変倍されたフレームレートに従って、前記補正駆動手段により変更された表示駆動電圧の極性を変更した表示駆動信号を発生する駆動信号発生手段と、
を有することを特徴とする表示装置。
【請求項２】
表示用画像データの表示フレームレートをＮ倍する変倍手段と、
Ｎフレーム単位で画像データを比較し、その比較結果に応じて表示用画像データの表示駆動電圧を変更する補正駆動手段と、
前記変倍手段によりＮ倍されたフレームレートに従って、前記補正駆動手段により変更された表示駆動電圧の極性を変更した表示駆動信号を発生する駆動信号発生手段と、
を有することを特徴とする表示装置。
【請求項３】
前記駆動信号発生手段は、フレームごとに極性を反転した表示駆動信号を生成することを特徴とする請求項１又は２に記載の表示装置。
【請求項４】
前記変倍手段は、
少なくとも１フレームの画像データを記憶するメモリと、
前記メモリよりの前記画像データの読出し速度を変更してフレームレートを変倍する手段を備えることを特徴とする請求項１乃至３のいずれか１項に記載の表示装置。
【請求項５】
フレーム単位で画像データを比較し、その比較結果に応じて表示用画像データの表示駆動電圧を変更する補正駆動工程と、
前記表示用画像データの表示フレームレートを変倍する変倍工程と、
前記変倍工程で変倍されたフレームレートに従って、前記補正駆動工程で変更された表示駆動電圧の極性を変更した表示駆動信号を発生する駆動信号発生工程と、
を有することを特徴とする表示装置の表示制御方法。
【請求項６】
表示用画像データの表示フレームレートをＮ倍する変倍工程と、
Ｎフレーム単位で画像データを比較し、その比較結果に応じて表示用画像データの表示駆動電圧を変更する補正駆動工程と、
前記変倍工程でＮ倍されたフレームレートに従って、前記補正駆動工程で変更された表示駆動電圧の極性を変更した表示駆動信号を発生する駆動信号発生工程と、
を有することを特徴とする表示装置の表示制御方法。
【請求項７】
前記駆動信号発生工程では、フレームごとに極性を反転した表示駆動信号を生成することを特徴とする請求項５又は６に記載の表示装置の表示制御方法。
【請求項８】
前記変倍工程は、
少なくとも１フレームの画像データを記憶するメモリよりの前記画像データの読出し速度を変更してフレームレートを変倍することを特徴とする請求項５乃至７のいずれか１項に記載の表示装置の表示制御方法。
【発明の詳細な説明】
【技術分野】
【０００１】
本発明は、例えば液晶などの表示装置及びその表示制御方法に関する。
【背景技術】
【０００２】
近年、ＴＶの受像機やＰＣの表示装置として液晶表示装置が使用されている。このような液晶表示装置は、薄型に形成できるため省スペースで、且つ省電力であるため幅広く用いられている。しかし、このような液晶表示装置は、画像データに対して実際に表示されるまでの応答時間が長いという問題を有している。そこで、この応答速度を改善するための液晶表示装置の駆動方法として、次に表示する画像データを以前の画像データと比較し、その比較結果に応じてオーバードライブ駆動を行う方法が提案されている（特許文献１参照）。
【０００３】
また図１７に示す様に、オーバードライブ駆動を交流駆動の片側（正又は負）のみで行うことにより直流成分が残存し、液晶表示装置の構造や構成によっては、信頼性の劣化を生じるものがある。そのため、画素電極と対向電極とを同一基板上に配置し、基板に平行に電圧を発生する液晶表示装置においては、その対策として、画素電極又は対向電極の少なくとも一方をＩＴＯ膜で生成することにより、上記直流成分による信頼性の劣化を改善する方法も提案されている（特許文献２参照）。
【特許文献１】特開平１１−１２６０５０号公報
【特許文献２】特開２００１−３４２３８号公報
【発明の開示】
【発明が解決しようとする課題】
【０００４】
上述した、画素電極と対向電極を同一基板上に配置し、基板に平行に電圧を発生する液晶表示装置では、画素電極又は対向電極の少なくとも一方をＩＴＯ膜で生成するという構造を採用することにより、オーバードライブ駆動による直流成分の残存による信頼性の劣化を改善できる。しかしそのためには、液晶表示装置のパネル構造を変更する必要があり、各種の液晶表示装置で汎用的に適応できないという問題があった。
【０００５】
本発明は、上記従来技術の欠点を解決することにある。
【０００６】
また本願発明の特徴は、オーバードライブ駆動による直流成分のアンバランスをなくし、応答速度と信頼性を向上した表示装置及びその表示制御方法を提供することにある。
【課題を解決するための手段】
【０００７】
上記特徴は、独立請求項に記載の特徴の組み合わせにより達成され、従属項は発明の単なる有利な具体例を規定するものである。
【０００８】
本発明の一態様に係る表示装置は以下のような構成を備える。即ち、
フレーム単位で画像データを比較し、その比較結果に応じて表示用画像データの表示駆動電圧を変更する補正駆動手段と、
前記表示用画像データの表示フレームレートを変倍する変倍手段と、
前記変倍手段により変倍されたフレームレートに従って、前記補正駆動手段により変更された表示駆動電圧の極性を変更した表示駆動信号を発生する駆動信号発生手段と、
を有することを特徴とする。
【０００９】
本発明の一態様に係る表示装置は以下のような構成を備える。即ち、
表示用画像データの表示フレームレートをＮ倍する変倍手段と、
Ｎフレーム単位で画像データを比較し、その比較結果に応じて表示用画像データの表示駆動電圧を変更する補正駆動手段と、
前記変倍手段によりＮ倍されたフレームレートに従って、前記補正駆動手段により変更された表示駆動電圧の極性を変更した表示駆動信号を発生する駆動信号発生手段と、
を有することを特徴とする。
【００１０】
本発明の一態様に係る表示装置の表示制御方法は以下のような工程を備える。即ち、
フレーム単位で画像データを比較し、その比較結果に応じて表示用画像データの表示駆動電圧を変更する補正駆動工程と、
前記表示用画像データの表示フレームレートを変倍する変倍工程と、
前記変倍工程で変倍されたフレームレートに従って、前記補正駆動工程で変更された表示駆動電圧の極性を変更した表示駆動信号を発生する駆動信号発生工程と、
を有することを特徴とする。
【００１１】
本発明の一態様に係る表示装置の表示制御方法は以下のような工程を備える。即ち、
表示用画像データの表示フレームレートをＮ倍する変倍工程と、
Ｎフレーム単位で画像データを比較し、その比較結果に応じて表示用画像データの表示駆動電圧を変更する補正駆動工程と、
前記変倍工程でＮ倍されたフレームレートに従って、前記補正駆動工程で変更された表示駆動電圧の極性を変更した表示駆動信号を発生する駆動信号発生工程と、
を有することを特徴とする。
【００１２】
尚、この発明の概要は、必要な特徴を全て列挙しているものでなく、よって、これら特徴群のサブコンビネーションも発明になり得る。
【発明の効果】
【００１３】
本発明によれば、オーバードライブ駆動による直流成分のアンバランスをなくすことができる。
【発明を実施するための最良の形態】
【００１４】
以下、添付図面を参照して本発明の好適な実施の形態を詳しく説明する。尚、以下の実施の形態は特許請求の範囲に係る発明を限定するものでなく、また実施の形態で説明されている特徴の組み合わせの全てが発明の解決手段に必須のものとは限らない。
【００１５】
図１は、本実施の形態に係る背面投射型表示装置２００の側面図である。
【００１６】
図において、投射型表示エンジンＤ１から投射された画像を反射ミラー２０１で反射し、スクリーン６の背面から投射する。このスクリーン６の前面には、デジタイザ装置２０２が取り付けられている。このデジタイザ装置２０２のスクリーン６の前面でデジタイザ用ペン２０３で位置を指示すると、その指示した位置の座標を表示装置２００に入力することができる。このデジタイザ装置としては、光学式のものや感圧式のものや超音波式のもの等、各種のものを用いることができる。明るさ調整スイッチ２０４は、スクリーン６に表示される画像の明るさを調整するためのスイッチである。
【００１７】
図２は、本実施の形態に係る投射型表示エンジンＤ１の構造を説明する図である。
【００１８】
ここでは光変調素子として、Ｒ，Ｇ，Ｂ各色表示対応の３枚の液晶パネル２Ｒ，２Ｇ，２Ｂを用い、これら３枚の液晶パネル２Ｒ，２Ｇ，２Ｂはクロスプリズム７に対向する位置に配置されている。尚、、本実施の形態においては、液晶パネル２Ｒ，２Ｇ，２Ｂとして、ＴＦＴを用いて駆動するＴＮ液晶パネルを用いた。また各液晶パネル２Ｒ，２Ｇ，２Ｂを挟み込むように、その両側には偏光板８をそれぞれ配置し、クロスプリズム７の光出射側には投射レンズ９やスクリーン（被投射部材）６を配置した。
【００１９】
一方、ランプ（光源）１を囲むように放物型のリフレクタ１０を配置し、ランプ１からの出射光Ｌ１が平行光束Ｌ２に変換されるようにした。尚、このリフレクタ１０は放物型でなくても、楕円型とし集光光束へ変換するようにしても良い。またランプ１には、メタルハライドランプやキセノンランプ等を用いることができる。また、はえの目インテグレータ４０，４１は、ランプ１から出射された光の光路上に配置され、液晶パネル２Ｒ，２Ｇ，２Ｂと共役な関係となるように配置し、光源の不均一性を改善した。そして、はえの目インテグレータ４０，４１の光出射側には、順に、リレーレンズ１１、ミラー１２を配置した。更に、２枚のダイクロミラー１３，１４を配置して、ランプ１からの出射光を３つに分岐させ、リレーレンズ１５やミラー１６，１７，１８を配置して各液晶パネル２Ｒ，２Ｇ，２Ｂに導くようにした。尚、符号１９はフィールドレンズを示す。
【００２０】
ところで、上述した液晶パネル２Ｒ，２Ｇ，２Ｂには、図３に示すような映像信号入力部３等を接続した。
【００２１】
次に、本実施の形態に係る投射型表示エンジンＤ１における電気信号の処理について説明する。
【００２２】
図３は、本発明の実施の形態１に係る表示装置の表示用エンジンの構成を示すブロック図である。
【００２３】
映像信号処理部３において、スイッチ３０は、端子５０を介してＰＣから入力される映像信号と、端子５１から入力されるＮＴＳＣ信号とを切り替えている。信号処理回路５２は、端子５１から入力されるＮＴＳＣ信号に対して、ＮＴＳＣ信号のデコード、ノイズ低減処理、帯域制限フィルタリング及び信号レベル調節等の信号処理を行う。Ａ／Ｄ変換器３１は、入力したアナログ映像信号をデジタル信号に変換する。ＤＳＰ（Digital Signal Processor）部３２は、Ａ／Ｄ変換されたデジタル画像データを入力して信号処理を実行して出力する。解像度変換部１０１は、入力した画像データの解像度を変換する。メモリ３３は、現状の画像データと次のフレームで表示する画像データ等を保持するメモリである。タイミング発生回路３４は、各部への動作タイミングを規定するタイミング信号を出力する。メモリ１０２は、応答速度を補正するために、以前の画像データを記憶するためのメモリである。応答速度補正部１０３は、解像度変換部１０１から出力される画像データと、メモリ１０２を介した画像データを比較して応答速度を補正している。倍速変換部１０４は、メモリ１０５を用いて、倍速変換用の画像データを作成する。極性反転部１０６は、この画像データに基づく画像信号の極性を反転する。Ｄ／Ａコンバータ３５は、デジタル画像データをアナログ画像信号に変換し、このアナログ画像信号によりパネルドライバ３６を介して、ＲＧＢの液晶パネル２Ｒ，２Ｇ，２Ｂに映像信号と電源が供給される。尚、ＤＳＰ部３２では、コントラスト、ブライト調整や色変換等の画像処理が行われる。
【００２４】
ここで、このブロック図には、アナログ入力信号のみ記載されているが、それに限らず、ＬＶＤＳ，ＴＭＤＳ等のデジタル信号用入力端子や、デジタルＴＶ用Ｄ４端子等を設けても有効であることは言うまでもない。
【００２５】
またバラスト５７は、ランプ１に接続されるランプ用の電源である。符号５８はシステム電源、符号６０はＡＣインレットを示す。リモコン６１は、この表示装置の種々の操作を指示するリモコンである。制御パネル６２は、リモコン６１からの信号を受信する。
【００２６】
更に、符号２０４は明るさ調整スイッチを示し、明るさ調整スイッチ検出部１０９は、この明るさ調整スイッチ２０４の動作を検出する。デジタイザ検出部１１８は、デジタイザ装置２０２で指示された座標位置を検出する。符号１０７はＵＳＢＩ／Ｆである。更に、６３はＣＰＵを示し、６４はＲＯＭ、６５はＲＡＭを示す。このＣＰＵ６３は、上述した映像信号入力部３や制御パネル６２やバラスト５７や明るさ調整スイッチ検出部１０９やデジタイザ検出部１１８やＵＳＢＩ／Ｆ１０７等に接続されており、液晶パネル２Ｒ，２Ｇ，２Ｂやランプ１等の駆動制御や表示画像の拡大・縮小や移動を行う。
【００２７】
本実施の形態では、明るさ調整スイッチ検出部１０９、デジタイザ検出部１１８、ＵＳＢＩ／Ｆ１０７等はＣＰＵ６３に接続されるものとして説明したが、ＣＰＵに内蔵したり、プログラムにより実行するように構成してもよい。
【００２８】
次に、この表示装置に接続されるＰＣ（パーソナルコンピュータ）３００の構成を説明する。
【００２９】
このＰＣ３００は、ＣＰＵ３０１、ＨＤ（ハードディスク）３０２，ＲＡＭ３０３，ＲＯＭ３０４、ビデオメモリ３０５、グラフィックコントローラ３０６、マウスＩ／Ｆ３０７、ＵＳＢＩ／Ｆ３０８等を有し、更に、映像出力端子３０９、ＵＳＢ入力端子３１０、マウス入力端子３１１を備えている。マウス３１２はポインティングデバイスとして機能しており、マウス入力端子３１１に接続されている。
【００３０】
次に、これら図３及び図４〜図７を参照して、本実施の形態１に係る表示装置の動作を詳細に説明する。
【００３１】
図４は、本実施の形態１に係る表示装置の処理内容を説明する図で、各処理部での信号波形を示している。
【００３２】
ＰＣ入力端子５０より入力した映像信号とＮＴＳＣ入力端子５１より入力した映像信号の何れかがスイッチ３０により選択される。こうして選択された信号はＡ／Ｄ変換器３１によりアナログ信号からディジタル信号に変換される。次にＤＳＰ部３２により、このデジタル画像データに対して、コントラスト、ブライト調整や色変換等の画像処理が行われる。このＤＳＰ部３２より出力された画像データは更に、解像度変換部１０１により所望の解像度及びフレームレートに変換される。本実施の形態では、６０Ｈｚのフレームレートに変換する場合で説明する。その際、入力された少なくとも１画面以上の画像データをメモリ３３に記憶し、そのメモリ３３からの画像データの読出し速度を変えることにより、入力画像信号とは異なるフレームレートの画像信号に変換することが可能となる。
【００３３】
図４〜図７は、本実施の形態１に係る表示装置内の各信号処理部における液晶パネルの特定の画素を駆動する信号を示している。
【００３４】
図４は、解像度変換部１０１から出力された液晶パネルの特定の画素を駆動する信号を示す図である。
【００３５】
フレーム(1)及び(2)では、黒信号が印加され（電圧Ｖ０）、フレーム(3)にて中間調画像データ（電圧Ｖ１）に変化している。次に応答速度補正部１０３では、液晶表示装置の応答速度を改善するために、所謂、オーバードライブ駆動を行う。このオーバードライブ駆動時の電圧をＶ２（Ｖ２＞Ｖ１）とする。ここではメモリ１０２に記憶した１フレーム前の表示済画像データと、現時点の表示用画像データとを比較する。ここで画像データに変化があれば、その結果に応じて、オーバードライブ駆動を行う。図４の例では、フレーム(3)を表示するタイミングで、前のフレーム(2)の画像データとが相違するため、オーバードライブ駆動が行われる。この様子を示したのが図５である。
【００３６】
図５は、黒から中間調に変換するフレーム(3)でオーバードライブ量を加えて電圧Ｖ２で表示駆動を行う例を示す図である。
【００３７】
そして図５のフレーム(4)の処理では、図４のフレーム(3)とフレーム(4)，(5)の画像データが一致しているため、それ以降ではオーバードライブ駆動は行われない。
【００３８】
応答速度補正部１０３における応答速度の補正方法としては、ＬＵＴ（ルックアップテーブル）を用いて１フレーム前の画像データのレベルと現時点の表示用画像データのレベル差に応じて補正量を変える方法や、１フレーム前の画像データと現時点の画像データとの差分に応じて補正量を決める方法等がある。前者のＬＵＴを使用する方法では、応答速度が遅い中間調レベルへの変化において、より補正量を増やす等、画像データの変化レベルに応じた最適なオーバードライブ駆動が可能となる。
【００３９】
応答速度補正部１０３より出力された画像データは、倍速変換部１０４でメモリ１０５に記憶された後、２倍のフレームレートで読み出される。これにより、フレームレートが２倍に変換される。これにより図６に示す様に、出力される画像データのフレームレートが１２０Ｈｚに変換される。
【００４０】
図６は、図５の表示駆動例において、フレームレートを２倍に変換した状態を示す図である。この図６では、フレーム(1)はフレーム(1)，(1)'に、フレーム(2)はフレーム(2)，(2)'（以下、同様）というように、図５に示す各フレームが２つのフレームで表されている。
【００４１】
次に極性反転部１０６において、倍速変換後の１フレーム毎に、信号の極性を反転して出力する。
【００４２】
図７は、本実施の形態１に係る極性反転部１０６における、図６に示す倍速変換後の信号を、各フレームごとに信号の極性を反転する状態を示す図である。尚、図７における各フレームは、図６に示す各フレームと同一であり、その駆動電圧Ｖ１，Ｖ２も図６と同じである。
【００４３】
図１８は、本発明の実施の形態１に係る応答速度補正を説明するフローチャートで、この処理は、応答速度補正部１０３、倍速度変換部１０４、極性反転部１０６により実行されるが、ＲＯＭ６４に記憶されたプログラムに基づいてＣＰＵ６３の制御の下で実行されても良い。
【００４４】
まずステップＳ１で、次に表示する画像データを入力し、ステップＳ２で、その画像データと、メモリ１０２に格納されている１フレーム前の画像データとを比較する。これらフレームの画像データが一致しているときはステップＳ５に進むが、一致していないときはステップＳ４に進み、駆動電圧を上昇させてオーバドライブ駆動を行う。次にステップＳ５で、倍速変換部１０４により画像データのフレームレートを２倍に変換する。次にステップＳ６で、極性反転部１０６により、各フレームごとに信号の極性を反転させてＤ／Ａ変換器３５に出力し、ステップＳ７で液晶パネルを表示駆動する。ステップＳ８で、画像の表示処理の終了かを判断し、終了でないときはステップＳ１に戻り、次のフレームの画像データに対して同様の処理を実行する。
【００４５】
これにより正転駆動時と反転駆動時において、同等にオーバードライブが行われる。
【００４６】
以上説明したように本実施の形態１によれば、オーバードライブ駆動の電圧が、正転駆動時と反転駆動時においてバランスがとれるため信頼性が向上する。
【００４７】
［実施の形態２］
次に本発明の実施の形態２について説明する。この実施の形態２では、前述の実施の形態１に比べて、フレームメモリ１０２の量を削減し、より低コストな表示装置を実現する方法について説明する。
【００４８】
前述の実施の形態１では、フレーム反転駆動を行う表示装置において、入力信号を所定のフレームレートに変換する解像度変換部１０１、その出力を１フレーム毎に比較し応答速度の補正を行う応答速度補正部１０３、そして、フレーム反転駆動のためにフレームレートを２倍にする倍速駆動部１０４とを使用していた。
【００４９】
これに対して本実施の形態２では、解像度変換部１０１で倍速（予めフレーム反転駆動に必要なフレームレート）で読み出すことにより、倍速駆動用のフレームメモリを不要にすると共に、解像度変換部１０１より倍速で読み出すことにより生ずる応答速度の補正方法の問題点（交流駆動における正転時と反転時のアンバランスにより液晶の劣化が生じる）を改善する。
【００５０】
以下、詳細に説明する。
【００５１】
図８は、本発明の実施の形態２に係る応答速度補正部を含む信号処理を説明するブロック図である。尚、この実施の形態２に係る表示装置の表示用エンジンの構成は、図８に示す構成以外は図３に示すブロック図と同じであるため、その説明を省略する。
【００５２】
図において、メモリ５０２は、現時点の表示用画像データと次のフレームで表示する画像データとを保持するメモリである。メモリ５０３は、応答速度を補正するために以前の画像データを記憶するためのメモリである。応答速度補正部５０４は、前述した応答速度補正部１０３と同じである。また極性反転部５０５も前述した応答速度補正部１０３と同じであるため、それらの説明を省略する。極性反転部５０５を出力した画像データは図３と同様にＤ／Ａ変換器等を通して、液晶パネルに表示される。
【００５３】
次に、図８及び図９〜図１２を参照して、本実施の形態２について詳細に説明する。
【００５４】
図９〜図１２は、本実施の形態２に係る処理内容を説明するための図であり、各処理部での信号波形を示している。
【００５５】
前述の実施の形態１との違いは、解像度変換部５０１によりフレームレートを１２０Ｈｚに変換した後、応答速度補正部５０４により応答速度を補正する点にある。これに伴い応答速度補正部５０４で参照する画像データを変更する点にある。
【００５６】
解像度変換部５０１に入力された画像データは、解像度変換部５０１において所望の解像度及びフレームレートに変換される。本実施の形態２では、１２０Ｈｚのフレームレートに変換される。その際に、入力された少なくとも１画面以上の画像データをメモリ５０２に記憶し、その読出し速度を変えることにより、入力信号とは異なるフレームレートの画像データに変換している。
【００５７】
図９は、解像度変換部５０１に入力される液晶パネルの特定画素を駆動する信号を示す図である。
【００５８】
フレーム(1)及び(2)では黒信号（電圧Ｖ０）が印加され、フレーム(3)にて中間調画像データ（電圧Ｖ１）に変化している。
【００５９】
図１０は、解像度変換部５０１から出力される画像データを示す図である。この図１０では、前述の図６と同様に、フレーム(1)はフレーム(1)，(1)'に、フレーム(2)はフレーム(2)，(2)'（以下、同様）というように、図９に示す各フレームが２つのフレームで表されている。
【００６０】
この実施の形態２では、解像度変換部５０１は、画像のフレームレートを６０Ｈｚから１２０Ｈｚに変換している。この解像度変換部５０１では、メモリ５０２に記憶した画像データを連続して２回づつ読み出すことによりフレームレートを２倍に変換している。次に、応答速度補正部５０４は、この液晶表示装置の応答速度を改善するために、所謂、オーバードライブ駆動を行う。
【００６１】
図１１は、実施の形態２に係る応答速度補正部５０４から出力する画像データを示す図である。
【００６２】
応答速度補正部５０４では、メモリ５０３に記憶した２フレーム前の画像データと現時点の画像データとを比較し、それら画像データに変化があれば、その結果に応じて、オーバードライブ駆動を行う。図１０の例では、フレーム(3)と(3)'は、それぞれ２つ前のフレーム(2)，(2)'と異なっているため、これらフレーム(3)と(3)'で、電圧Ｖ２でオーバードライブ駆動が実行される。続く図１０のフレーム(4)及び(4)'及びそれ以降では、２フレーム前のフレーム(3)，(3)'〜(5)，(5)'と同じデータであるためオーバードライブ駆動は行なわれない。
【００６３】
このように図１１では，入力信号において、黒から中間調に変化したフレーム(3)及びフレーム(3)'で、オーバードライブ量を加えて駆動を行う。ここで、フレーム(3)とフレーム(3)'では、同じ量のオーバードライブが行われる。
【００６４】
応答速度補正の方法としては、ＬＵＴにより１フレーム前の画像データと現時点の表示画像データの入力レベルに応じて補正量を変える方法や、１フレーム前の画像データと現時点の表示画像データとの差分に応じて補正量を決める方法等がある。ＬＵＴを使用する方法では、応答速度が遅い中間調での補正量を増やす等、変化レベルに応じた最適なオーバードライブ駆動が可能となる。
【００６５】
応答速度補正部５０４から出力された信号は、極性反転部５０５において、１２０Ｈｚに変換された後の１フレーム毎に、極性を反転する。従って、図１２に示す様に、オーバードライブが正転駆動時と反転駆動時に同等に行うことが可能となった。
【００６６】
図１２は、本実施の形態２に係る極性反転部５０５において、図１１に示す倍速変換後の信号を、各フレームごとに信号の極性を反転した状態を示す図である。尚、図１２における各フレームは、図１１に示す各フレームと同一であり、その駆動電圧Ｖ１，Ｖ２も図１１と同じである。
【００６７】
図１９は、本発明の実施の形態２に係る応答速度補正を説明するフローチャートで、この処理は、応答速度補正部５０４及び極性反転部５０５により実行されるが、ＲＯＭ６４に記憶されたプログラムに基づいてＣＰＵ６３の制御の下で実行されても良い。
【００６８】
まずステップＳ１１で、次に表示する画像データを入力し、ステップＳ１２で、その画像のフレームレートを倍にする。次にステップＳ１３で、次に表示する画像データと、メモリ５０３に格納されている２フレーム前の画像データとを比較する。これらフレームの画像データが一致しているときはステップＳ１６に進むが、一致していないときはステップＳ１５に進み、駆動電圧を上昇させてオーバドライブ駆動を行う。次にステップＳ１６で、極性反転部１０６により、各フレームごとに信号の極性を反転させてＤ／Ａ変換器３５に出力し、ステップＳ１７で液晶パネルを表示駆動する。ステップＳ１８で、画像の表示処理の終了かを判断し、終了でないときはステップＳ１１に戻り、次のフレームの画像データに対して同様の処理を実行する。
【００６９】
以上説明したように本実施の形態２によれば、正転駆動時と反転駆動時において、オーバードライブ駆動のアンバランスが生じないため信頼性が向上する。
【００７０】
尚、本実施の形態２では、解像度変換部５０１において、１２０Ｈｚの倍速変換を行うため、前述の実施の形態１の様に、倍速変換部や倍速変換用のメモリが不要になりコストや実装面積等の減少に効果が大きい。
【００７１】
また本実施の形態２では、応答速度を補正する前にフレームレートを２倍にしている（ステップＳ１２）。このため、応答速度を補正するための画像データの比較に際して、現フレームの画像に対して２フレーム前の画像と比較している。
【００７２】
以下、前述の実施の形態１と同様に、１フレーム前の画像データとの比較を行うと、どのような問題が生ずるか説明する。
【００７３】
［参考例］
図１３〜図１６は、１フレーム前の画像データと比較をした場合に生じる不具合を説明するための各信号処理ブロックでの信号波形図である。
【００７４】
解像度変換部５０１に入力された画像データは、解像度変換部５０１において、所望の解像度及びフレームレートに変換される。本参考例では、１２０Ｈｚのフレームレートに変換される。その際に、入力された少なくとも１画面以上の画像データをメモリ５０２に記憶し、その読出し速度を変えることにより、入力信号とは異なるフレームレートの出力信号に変換することが可能となる。
【００７５】
図１３は、解像度変換部５０１に入力される液晶パネルの特定画素を駆動する信号を示す図である。フレーム(1)及び(2)では黒信号（電圧Ｖ０）が印加され、フレーム(3)で中間調画像データ（電圧Ｖ１）に変化している。
【００７６】
図１４は、解像度変換部５０１から出力される画像データを示す図である。
【００７７】
解像度変換部５０１では、フレームレートを６０Ｈｚから１２０Ｈｚに変換している。この解像度変換部５０１では、メモリ５０２により記憶した画像データを連続して２回づつ読み出すことにより、フレームレートを２倍に変換できる。次に応答速度補正部５０４は、液晶表示装置の応答速度を改善するために、所謂オーバードライブ駆動を行う。
【００７８】
図１５は、応答速度補正部５０４から出力される画像データを示す図である。
【００７９】
応答速度補正部５０４では、メモリ５０３に記憶した１フレーム前の画像データと現時点の画像データとを比較する。ここで変化があれば、その結果に応じて、オーバードライブ駆動を行う。図１５に示すように、入力信号において、１フレーム前の画像と比較して、黒から中間調に変化したフレーム(3)にてオーバードライブ量を加えて（電圧Ｖ２）駆動を行う。この場合は、フレーム(3)にのみオーバードライブが行われ、フレーム(3)'ではオーバードライブは行われない。
【００８０】
応答速度補正部５０４から出力された信号は、極性反転部５０５において、１２０Ｈｚに変換された後の１フレーム毎に、極性を反転する。従って、図１６のフレーム(3)と(3)'で示す様に、オーバードライブが正転駆動時（＋Ｖ２）と反転駆動時（−Ｖ１）となって同等ではなくなり、直流成分が発生してしまう。
【００８１】
以上のように、応答速度を補正する前に、フレームレートを倍速化し、比較を行う画像データを１フレーム前とすると、正転駆動時と反転駆動時において、オーバードライブ駆動のアンバランスが生ずるという問題がある。
【００８２】
従って本実施の形態２のように、応答速度を補正する前に、フレームレートを２倍速化した場合は、応答速度の補正で比較する画像データを２フレーム前のものにしなければならない。
【００８３】
本実施の形態２では、応答速度を補正する前に、フレームレートを２倍速化した場合について説明したが、フレームレートをＮ倍にする場合は、応答速度補正で比較を行う画像データをＮフレーム前のものにすればよい。
【００８４】
この実施の形態２によれば、図３の実施の形態１では、メモリ３３，１０２，１０５の３つのメモリが必要であったのに対して、図８のようにメモリ５０２，５０３の２つのメモリで済むという効果がある。
【００８５】
以上説明したように本実施の形態１，２に係る表示装置によれば、交流駆動を行う液晶表示装置において、正転駆動時と反転駆動時に連続して同じ画像を出力し、正転時と反転時の駆動波形に同じ量の補正信号を与える。これにより、オーバードライブ駆動による直流成分による信号の劣化を改善できる。特に本実施の形態の構成によれば、特殊な構造を採用することなく、一般的な表示装置に適応できる。更に、信頼性を低下させずに、高画質な表示装置を提供することが可能となった。
【００８６】
更に本実施の形態では、フレームレートを２倍速に変換する場合で説明したが、本発明はこれに限定されるものでなく、例えば整数（Ｎ）倍であればよい。
【００８７】
また実施の形態２によれば、応答速度補正の前にＮ倍速駆動を行い、それに伴って応答速度を補正するための比較用データをＮフレーム前のものにすることにより、フレームメモリ量を削減し、低コストな表示装置を提供できる。
【図面の簡単な説明】
【００８８】
【図１】本実施の形態に係る背面投射型表示装置の側面図である。
【図２】本実施の形態に係る投射型表示エンジンＤ１の構造を説明する図である。
【図３】本発明の実施の形態１に係る表示装置の表示用エンジンの構成を示すブロック図である。
【図４】実施の形態１に係る解像度変換部から出力された液晶パネルの特定の画素を駆動する信号を示す図である。
【図５】実施の形態１において、黒から中間調に変換するフレーム(3)でオーバードライブ量を加えて表示駆動を行う例を示す図である。
【図６】図５の表示駆動例において、フレームレートを２倍に変換した状態を示す図である。
【図７】本実施の形態１に係る極性反転部における、図６に示す倍速変換後の信号を、各フレームごとに信号の極性を反転する状態を示す図である。
【図８】本発明の実施の形態２に係る応答速度補正部を含む信号処理を説明するブロック図である。
【図９】実施の形態２に係る解像度変換部に入力される液晶パネルの特定画素を駆動する信号を示す図である。
【図１０】実施の形態２に係る解像度変換部から出力される画像データを示す図である。
【図１１】実施の形態２に係る応答速度補正部から出力する画像データを示す図である。
【図１２】本実施の形態２に係る極性反転部において、図１１に示す倍速変換後の信号を、各フレームごとに信号の極性を反転した状態を示す図である。
【図１３】参考例として、解像度変換部に入力される液晶パネルの特定画素を駆動する信号を示す図である。
【図１４】参考例である解像度変換部から出力される画像データを示す図である。
【図１５】参考例として、応答速度補正部から出力される画像データを示す図である。
【図１６】参考例として、極性反転部において倍速変換後の信号を、各フレームごとに信号の極性を反転した状態を示す図である。
【図１７】従来の補正方法を説明するための図である。
【図１８】本発明の実施の形態１に係る処理を説明するフローチャートである。
【図１９】本発明の実施の形態２に係る処理を説明するフローチャートである。
【図１】
2006285092.tif 000003
【図２】
2006285092.tif 000004
【図３】
2006285092.tif 000005
【図４】
2006285092.tif 000006
【図５】
2006285092.tif 000007
【図６】
2006285092.tif 000008
【図７】
2006285092.tif 000009
【図８】
2006285092.tif 000010
【図９】
2006285092.tif 000011
【図１０】
2006285092.tif 000012
【図１１】
2006285092.tif 000013
【図１２】
2006285092.tif 000014
【図１３】
2006285092.tif 000015
【図１４】
2006285092.tif 000016
【図１５】
2006285092.tif 000017
【図１６】
2006285092.tif 000018
【図１７】
2006285092.tif 000019
【図１８】
2006285092.tif 000020
【図１９】
2006285092.tif 000021